(57)【要約】【課題】簡単で安価な構成としながらも、幼児が座面部の前側部分に自身の臀部のみを乗せた状態でしか座れないように規制できる幼児用椅子を提供する。【解決手段】少なくとも２本ずつの前側脚部（２）および後側脚部（３）と、これら前側脚部（２）と後側脚部（３）の各々の上端部に水平に支持された座面部（５）とを備え、座面部（５）における幼児が座ったときの前側部分に、幼児の臀部が乗せられる平面視形状および面積を有して幼児が臀部のみを乗せた状態で腰掛けられるように規制する座面規制部（９）が設けられている。【選択図】図１
2012055660.tif 000002
【特許請求の範囲】
【請求項１】
少なくとも２本ずつの前側脚部および後側脚部と、これら前側脚部および後側脚部の各々の上端部に水平配置で支持された座面部とを備え、
前記座面部における幼児が座ったときの前側部分に、幼児の臀部が乗せられる平面視形状および面積を有して幼児が臀部のみを乗せた状態で腰掛けるように規制する座面規制部が設けられていることを特徴とする幼児用椅子。
【請求項２】
前記座面規制部が、前記座面部に対し段差を介在して形成された凹所からなり、
前記座面規制部の凹所形状に合致した外形を有して当該座面規制部に着脱自在に嵌合される平板状であって、当該座面規制部に嵌合されたときに自体の上面が前記座面部の上面に面一となる位置決め状態に保持される保形部材を備えていることを特徴とする請求項１に記載の幼児用椅子。
【請求項３】
前記保形部材が、回動連結具により前記座面部における前記座面規制部の後端縁部に連結されて、前記座面規制部の内部に嵌合する位置と前記座面部の上面に重ね合わされる位置との範囲内で回動自在に設けられていることを特徴とする請求項２に記載の幼児用椅子。
【請求項４】
前記座面部の上面に形成された嵌合溝に挿抜自在に嵌め入れられて鉛直の配置で保持される帯状の座面規制板を備え、
前記座面規制部が、前記座面部における前記座面規制板により区画された前側部分からなることを特徴とする請求項１に記載の幼児用椅子。
【発明の詳細な説明】
【技術分野】
【０００１】  本発明は、主として、保育園や幼稚園における教室などの屋内または屋外に備えられる幼児用椅子に関するものである。
【背景技術】
【０００２】  図７（ａ），（ｂ）に示すように、保育園や幼稚園の教室内に設置される幼児用椅子３０としては、前後各２本で計４本の脚部３１の各々の上端部に水平の配置で支持された座面部３２と、この座面部３２の後端部に設けられた背もたれ部３３とを備えただけの簡易な構造のものが一般的に用いられている。園児である幼児Ｈは、幼児用椅子３０の座面部３２に腰掛けて、教諭の話を聞いたり、机４０の上で工作等をしたりする。
【先行技術文献】
【０００３】
【特許文献】
【特許文献１】
【発明の概要】
【発明が解決しようとする課題】
【０００４】  ところで、幼児Ｈが上述のような幼児用椅子３０に座る場合、図７（ａ）に示すように、座面部３２における背もたれ部３３とは反対側の前側部分に自身の臀部を乗せる状態で浅く座った場合には、背筋を伸ばした正しい姿勢を保ことが多い。一方、図７（ｂ）に示すように、背もたれ部３３に自身の背中を近接させて座面部３２のほぼ全面にわたり臀部を乗せて腰掛ける状態に深く座った場合には、前屈みの悪い姿勢になってしまう傾向があり、この傾向は、特に、幼児用椅子３０が机４０に面して配置されている場合に顕著に現れる。これは、座面部３２の前側部分に浅く座った場合には、上半身が机４０に近接していることから、前屈みの姿勢になり難いのに対し、座面部３２の全面にわたり深く座った場合には、机４０から離れている上半身を無意識のうちに机４０に近づけようとして前屈みの姿勢になるものと思われる。【０００５】  そのため、保育園や幼稚園の教諭は、座面部３２の前側部分に臀部を乗せた状態で浅く座るように幼児を指導しているが、幼児Ｈには何故座面部３２の前側部分に座らなければならないのかが十分に理解できず、注意されたときに座面部３２の前側部分に腰掛けても、やがては無意識のうちに座面部３２の全面に深く座り直して前屈みの悪い姿勢になる幼児が多く見受けられるのが実情である。このように教諭が再三注意しても十分な効果が得られ難しいので、特に保育園や幼稚園の教室内に設置する場合に幼児を座面部の前側部分に半ば強制的に座らせるように促すことができる構造を備えた幼児用椅子の出現が待望されている。【０００６】  一方、上述のような従来の課題を解消できる構造を備えた幼児用椅子が出現したとしても、運動会などに際して運動場などの屋外に設置する場合には、自身から比較的遠方を注視することが多いとともに、机に面していないことから前屈みの悪い姿勢になる可能性が少ないので、背もたれ部に近接した位置に深く腰掛けて安定に座らせる方が好ましい。しかしながら、保育園や幼稚園の全ての園児に対して２種類の椅子を用意するのは、経済的に好ましいものではないうえに、使用しない方の椅子の保管場所を確保したり、面倒な管理を行わなければならず、しかも、必要に応じて２種類の椅子を交換する煩雑な作業が必要となる、新たな課題が生じる。【０００７】  そこで、本発明は、簡単で安価な構成としながらも、幼児が座面部の前側部分のみに自身の臀部を乗せた状態でしか座れないように規制できる構造を備えているとともに、必要に応じて座面部の全面にわたり深く座れるようにも簡便に変更することのできる幼児用椅子を提供することを目的とする。
【課題を解決するための手段】
【０００８】  上記目的を達成するために、請求項１に係る発明の幼児用椅子は、少なくとも２本ずつの前側脚部および後側脚部と、これら前側脚部および後側脚部の各々の上端部に水平配置に支持された座面部とを備え、前記座面部における幼児が座ったときの前側部分に、幼児の臀部が乗せられる平面視形状および面積を有して幼児が臀部のみを乗せた状態で腰掛けるように規制する座面規制部が設けられていることを特徴としている。【０００９】  請求項２に係る発明の幼児用椅子は、請求項１に係る幼児用椅子において、前記座面規制部が、前記座面部に対し段差を介在して形成された凹所からなり、前記座面規制部の凹所形状に合致する外形を有して当該座面規制部に着脱自在に嵌合される平板状であって、当該座面規制部に嵌合されたときに自体の上面が前記座面部の上面に面一となる位置決め状態に保持される保形部材を備えていることを特徴としている。【００１０】  請求項３に係る発明の幼児用椅子は、請求項２に係る幼児用椅子において、前記保形部材が、回動連結具により前記座面部における前記座面規制部の後端縁部に連結されて、前記座面規制部の内部に嵌合する位置と前記座面部の上面に重ね合わされる位置との範囲内で回動自在に設けられていることを特徴としている。【００１１】  請求項４に係る発明の幼児用椅子は、請求項１に係る幼児用椅子において、前記座面部の上面に形成された嵌合溝に挿抜自在に嵌め入れられて鉛直の配置で保持される帯状の座面規制板を備え、前記座面規制部が、前記座面部における前記座面規制板により区画された前側部分からなることを特徴としている。
【発明の効果】
【００１２】  請求項１に係る幼児用椅子によれば、保育園や幼稚園の教室内に設置した場合、園児である幼児は、座面規制部が自身の腰掛けるべき部分であることを目視で一目瞭然に判断できるから、その座面規制部内に自身の臀部を乗せて座ることになる。すなわち、幼児は、座面部の前側部分に設けられた座面規制部に必然的に腰掛けるようになることから、背筋を延ばした正しい姿勢を保ち続けながら教諭の話を聞くことになる。特に、椅子が机に面して配置されている場合には、浅く腰掛けて座る前方側に机があるために前屈みの姿勢となるおそれが少ない。【００１３】  請求項２に係る幼児用椅子によれば、もし仮に、園児が座面規制部と座面部とに跨がるように臀部を乗せて座った場合には、座面規制部と座面部との間の段差によって座り心地が悪いことから、凹所からなる座面規制部のみに臀部を乗せて腰掛ける状態に座り直すよう幼児に促すことができる。一方、例えば、運動会などに際して屋外で使用するような場合には、比較的遠方を注視することが多いとともに、机に面していないことから前屈みの悪い姿勢になる可能性が少ないから、背もたれ部に近接した位置に深く座って安定に腰掛けさせるのが好ましい。この場合には、保形部材を座面規制部に嵌め込むだけで、座面部と保形部材とを含む全面が平坦面となる、一般的な椅子形態に容易、且つ即座に変更することができる。したがって、この幼児用椅子は、座面部に凹所からなる座面規制部を設けるとともに、この座面規制部に嵌まり込む保形部材を備えるだけの簡単で安価な構成であるにもかかわらず、幼児を座面部の前側部分に半ば強制的に座らせて背筋を延ばした正しい姿勢に保たせる用途と、屋外などにおいて背もたれ部に近接して深く安定に座らせる用途との双方に極めて簡便に対応できる顕著な機能を備えたものである。【００１４】  請求項３に係る幼児用椅子によれば、保形部材を回動させるだけの簡単な操作により、保形部材を座面規制部の内部に嵌合する状態と座面部の上面に重ね合わせる状態とに即座に変更できるので、幼児を座面部の前側部分に強制的に座られる用途と、背もたれ部に近接して深く安定に座らせる用途との相互の切り換え操作を簡単、且つ迅速に行うことができるうえに、保形部材の不使用時における当該保形部材の面倒な管理が不要になるとともに保形部材を紛失するといった不具合が生じることもない。【００１５】  請求項４に係る幼児用椅子によれば、保育園や幼稚園の教室内に設置する場合には、座面規制板を嵌合溝に嵌め入れて鉛直の配置で取り付けることにより、座面部における前側部分に座面規制板によって区画された座面規制部を設けることができる。一方、屋外で使用するような場合には、座面規制板を嵌合溝から抜き出すと、座る際に何ら支障が無い嵌合溝が座面部上に存在するだけであるから、幼児を背もたれ部に近接した位置に深く安定に座らせることができる。したがって、この幼児用椅子においても、幼児を座面部の前側部分に強制的に座られる用途と、背もたれ部に近接して深く安定に座らせる用途との双方に極めて簡便に対応でき、これに加えて、既存の幼児用椅子に嵌合溝を設ける改造を施すとともに、座面規制板を別途用意するだけで対応することが可能であり、���価に製作できる利点がある。
【図面の簡単な説明】
【００１６】
【図１】本発明の第１実施形態に係る幼児用椅子を示す斜視図である。
【図２】同上の幼児用椅子における座面規制部に保形部材を嵌合した状態を示す斜視図である。
【図３】本発明の第２実施形態に係る幼児用椅子を示す斜視図である。
【図４】同上の幼児用椅子における座面規制部に保形部材を嵌合した状態を示す斜視図である。
【図５】本発明の第３実施形態に係る幼児用椅子を示す斜視図である。
【図６】同上の幼児用椅子における座面規制板を取り外した状態を示す斜視図である。
【図７】（ａ）は幼児用椅子の前側部分に浅く座ったときの幼児の姿勢を示す説明図、（ｂ）は同上の幼児用椅子の背もたれ部に近接して深く座ったときの幼児の姿勢を示す説明図である。
【発明を実施するための形態】
【００１７】  以下、本発明の好ましい実施形態について図面を参照しながら詳述する。
図１は、本発明の第１実施形態に係る幼児用椅子１Ａを示す斜視図である。この幼児用椅子１Ａは、それぞれパイプからなる各２本の前側脚部２，２および後側脚部３，３と、前側脚部２，２の上端部が略直角に屈曲されて水平方向後方へ向け延びて形成された２つの支持桟部４，４と、この２つの支持桟部４，４に跨がる配置で固定された座面部５と、２つの支持桟部４，４の後端部が略直角に屈曲されて上方に向け延びて形成された２つの補助取付部６，６と、２つの後側脚部３，３の上部がそれぞれ補助取付部６，６に固着されてなる主取付部７，７と、この主取付部７，７および補助取付部６，６に固着された背もたれ部８とを備えて構成されている。
【００１８】  前記２つずつの補助取付部６，６および主取付部７，７の各々の上端部はそれぞれ互いに連結されている。すなわち、２つずつの後側脚部３，３および主取付部７，７は１本のパイプを屈曲することにより形成されているとともに、２つずつの前側脚部２，２、支持桟部４，４および補助取付部６，６は１本のパイプを屈曲することにより形成されている。以上の構成は、一般的な幼児用椅子と比較して、座面部５が若干大きな厚みに形成されていることを除けば、ほぼ同じである。
【００１９】  この幼児用椅子１Ａの要旨とする構成は、座面部５における背もたれ部８とは反対側の前側部分に、幼児の臀部に対応した平面視形状に凹んだ凹所からなる座面規制部９が形成されていることにある。座面規制部９は、平均的な体格の保育園児や幼稚園児が自身の臀部を若干の余裕をもって腰掛けることのできる平面形状および面積を有する平面視略扇形形状を有している。座面規制部９の前端からの形成箇所Ｔは、既存の一般的な幼児用椅子における座面部５の前端から後端までの有効奥行き寸法Ｗに対して、Ｔ＝Ｗ／３〜Ｗ／２の範囲内に設定するのが好ましい。すなわち、この範囲内の広さの座面規制部９は、一般的な体格の幼児が自身の臀部のみを乗せた状態で腰掛けられるのに適応する。
【００２０】  また、この幼児用椅子１Ａは、座面規制部９の凹所形状に対応した平面視略扇形を有する平板状の保形部材１０を備えている。この保形部材１０には、座面規制部９に形成された２つの取付孔１２，１２にそれぞれ嵌入する２つの取付片１１が下面から突設されている。したがって、保形部材１０は、図１に矢印で示すように、各取付片１１，１１を取付孔１２，１２にそれぞれ嵌入しながら座面規制部９内に嵌め込まれることにより、図２に示すように、自体の上面が座面部５の上面に対し面一に位置決めされて、座面部５と共に座面規制部９を解消して全体にわたり一様な平面を有する一般的な幼児用椅子の座面を形成する。
【００２１】  この幼児用椅子１Ａは、保育園や幼稚園の教室内に設置する場合、図１に示すように保形部材１０を取り外した状態とする。これにより、園児は、凹んだ座面規制部９が自身の腰掛けるべき部分であることを目視で一目瞭然に理解するから、その座面規制部９内に自身の臀部を乗せる状態で腰掛けることになる。もし仮に、園児が座面規制部９と座面部５とに跨がるように臀部を乗せる状態で座った場合には、座面規制部９と座面部５との間の段差によって座り心地が悪いことから、座面規制部９のみに腰掛けるように座り直すことになる。このように、園児は、座面部５の前側部分に設けられた座面規制部９に必ず腰掛けるようになることから、教諭の話を聞く場合にも図７（ａ）に示したように背筋を延ばした正しい姿勢を保ち続けることになる。
【００２２】  一方、例えば、運動会などに際して前記幼児用椅子１Ａを屋外で使用するような場合には、比較的遠方を注視することが多いとともに、机に面していないことから前屈みの悪い姿勢になる可能性が少ないので、背もたれ部８に近接した位置に深く座って安定に腰掛ける方が好ましい。このような場合には、図２に示すように、保形部材１０を座面規制部９に嵌め込むだけで簡単、且つ即座に一般的な椅子形態に変更して対応することができ、しかも、保形部材１０と座面規制部９との嵌合および取付片１１と取付孔１２との嵌合により、保形部材１０を座面規制部９内に確実に固定することができる。
【００２３】  このように、前記幼児用椅子１Ａは、座面部５に座面規制部９をを設けるとともに座面規制部９に嵌まり込む保形部材１０を備えるだけの安価に製造できる簡単な構造であるにもかかわらず、幼児を座面部５の前側の所要箇所に半ば強制的に座られる用途と、背もたれ部８に近接して深く座らせる用途との双方に容易、且つ迅速に対応できる顕著な機能を備えている。なお、図示を省略しているが、実用化に際しては、保形部材１０を座面規制部９から容易に取り出し操作できる手段、例えば、指を入れて持ち上げるための凹みや吊り上げ用の紐などを保形部材１０に設けるのが好ましい。
【００２４】  図３は、本発明の第２実施形態に係る幼児用椅子１Ｂを示す斜視図であり、同図において、図１と同一若しくは実質的に同等のものには同一の符号を付して、重複する説明を省略する。この実施形態の幼児用椅子１Ｂが第１実施形態の幼児用椅子１Ａと相違するのは、第１実施形態の保形部材１０と同一の外形を有し、且つ取付片１１を除外した形状の保形部材１０を、座面部５における座面規制部９の後端縁部に対し２つの兆番１３，１３を介して回動自在に連結した構成のみである。これにより、保形部材１０は、図３に示すように座面部５の上面に重ね合わされる状態と、図４に示すように座面規制部９内に嵌まり込ませた状態との範囲内で回動自在に設けられている。なお、座面規制部９には、保形部材１０から取付片１１を除外したのに伴って、第１実施形態における取付孔１２が形成されていない。
【００２５】  この幼児用椅子１Ｂは、保育園や幼稚園の教室内に設置する場合、図３に示すように、保形部材１０を回動連結具の一種である兆番１３，１３を介し回動させて座面部５上に重ね合わせる状態とする。これにより、前記幼児用椅１Ｂは、第１実施形態の幼児用椅子１Ａにおける図１と同様の形態となり、幼児に座面規制部９内に確実に座るように促して背筋を延ばした正しい姿勢に保たせることができる。一方、屋外で使用するような場合には、図４に示すように、保形部材１０を、兆番１３，１３を介し前方側に回動させて座面規制部９に嵌め入れることにより、第１実施形態の幼児用椅子１Ａにおける図２と同様の形態となるから、背もたれ部８に近接した位置に深く腰掛けて安定に座らせるることができる。なお、兆番１３，１３は、図４の形態としたときに座面部５および座面規制部９の各々の上面から出っ張らないように埋め込んだ配置で取り付けられており、幼児が座ったときに違和感を感じないようになっている。
【００２６】  上述から明らかなように、この第２実施形態の幼児用椅子１Ｂにおいても、第１実施形態の幼児用椅子１Ａと同様に、幼児を座面部５の前側の所要箇所に半ば強制的に座られる用途と、背もたれ部８に近接して深く安定に座らせる用途との双方に互いに簡便に変更できる機能を備えており、これに加えて、上述の２つの用途への相互の切り換えを迅速に行うことができるうえに、保形部材１０の不使用時における管理が不要になるとともに、保形部材１０を紛失するといった不具合が生じるおそれもない。
【００２７】  図５は、本発明の第３実施形態に係る幼児用椅子１Ｃを示す斜視図であり、同図において、第１実施形態である図１と同一若しくは実質的に同等のものには同一の符号を付して、重複する説明を省略する。この実施形態の幼児用椅子１Ｃが第１実施形態の幼児用椅子１Ａと相違するのは、第１実施形態の座面規制部９を設けずに、座面部１４の全面がこの種の一般的な既存の幼児用椅子と同様の平面形状に形成され、この座面部１４の前側に、図６に示す嵌合溝１５が形成されているとともに、その嵌合溝１５に座面規制板１６が上方から鉛直の配置で嵌め込まれて、座面部１４における座面規制板１６によって区画された前側部分により座面規制部１４ａを設けた構成のみである。
【００２８】  さらに詳述すると、嵌合溝１５およびこれに嵌め込まれる座面規制板１６は、第１実施形態に設けた座面規制部９の凹所形状における前側部分を除く縁部に沿った形状と略同一の平面視形状に形成されて、この座面規制板１６よりも前側に区画された座面規制部１４ａは、第１実施形態の凹所によって形成された座面規制部９と同一の平面視形状を有している。座面規制板１６は、嵌合溝１５に対し挿抜自在であって、嵌合溝１５に嵌め入れたときに当該嵌合溝１５の底部に当接して鉛直の姿勢で支持されるようになっている。
【００２９】  この幼児用椅子１Ｃは、保育園や幼稚園の教室内に設置する場合、図５に示すように、座面規制板１６を嵌合溝１５に嵌め入れて鉛直の配置で取り付けた状態とする。これにより、前記幼児用椅１Ｃは、第１実施形態の図１の座面規制部９と実質的に同じ機能を有する座面規制部１４ａを備えた形態となり、幼児に座面規制部１４ａ内に座るように促して背筋を延ばした正しい姿勢に保たせることができる。
【００３０】  一方、屋外で使用するような場合には、図６に示すように、座面規制板１６を嵌合溝１５から抜き出すことにより、座るのに何ら支障が無い嵌合溝１５が座面部１４上に存在するだけで、第１実施形態の図２と略同様の形態とすることができるから、背もたれ部８に近接した位置に深く座って安定に腰掛けさせることができる。なお、座面規制板１６の帯状の幅寸法つまり鉛直に取り付けた時の高さ寸法は任意に設定可能である。また、嵌合溝１５に代えて、下方に貫通する嵌合スリットを設け、この嵌合スリットに上方から貫通させた座面規制板１６の下端部を座面部１４の下面に固定する固定手段を設けるようにしてもよく、この場合は、座面規制板１６を鉛直の配置で強固に固定することができる。
【００３１】  したがって、この第３実施形態の幼児用椅子１Ｃにおいても、幼児を座面部５の前側の所要箇所に半ば強制的に座られる用途と、背もたれ部８に近接して深く座らせる用途との双方に簡便に対応できる、第１実施形態の幼児用椅子１Ａの機能と同様の機能を備えている。これに加えて、この幼児用椅子１Ｃは、既存の幼児用椅子に嵌合溝１５を設ける改造を施すとともに、座面規制板１６を別途設けるだけで対応することが可能であるから、安価に製作できる利点がある。
【００３２】  なお、本発明は、前記実施形態で示した内容に限定されるものではなく、本発明の要旨を逸脱しない範囲内で種々の変更、追加または削除が可能であり、そのようなものも本発明の範囲内に含まれる。例えば、前記各実施形態では背もたれ部８を有しているが、本発明は、背もたれ部８の無い形態の椅子にも適用することができる。また、背もたれ部を座面部に対し前後方向に移動自在に設けて、その背もたれ部を座面部の前側に向け移動させて所要位置に固定することにより、座面部における背もたれ部により区画された前側部分を座面規制部とする構成としてもよい。
【産業上の利用可能性】
【００３３】  本発明の幼児用椅子は、主として、保育園や幼稚園において好適に用いられるものであって、教室内に設置した場合に園児に背筋を延ばした正しい姿勢に保つように腰掛けさせることができるとともに、屋外に設置する場合に園児に深く座らせて安定に腰掛けさせる形態に容易に変更できる極めて顕著な機能を有したものである。
【符号の説明】
【００３２】１Ａ〜１Ｃ  幼児用椅子
２  前側脚部
３  後側脚部
５，１４  座面部
９，１４ａ  座面規制部
１０  保形部材
１３  兆番（回動連結具）
１５  嵌合溝
１６  座面規制板
【図１】
2012055660.tif 000003
【図２】
2012055660.tif 000004
【図３】
2012055660.tif 000005
【図４】
2012055660.tif 000006
【図５】
2012055660.tif 000007
【図６】
2012055660.tif 000008
【図７】
2012055660.tif 000009